(57)【特許請求の範囲】
【請求項１】
光ディスクに記録された情報を読取るピックアップ部と、
前記ピックアップ部により読取られた情報に含まれるビデオ管理情報から、前記光ディスクに記録されているコンテンツのタイトル総数及び、各タイトルのチャプタ数をそれぞれ検出する検出部と、
光ディスクの市場の傾向を基に予め設定したタイトル総数の標準値及びチャプタ数の標準値と、前記検出部で検出した前記タイトル総数及び各タイトルのチャプタ数を比較し、前記比較結果をもとに前記コンテンツに含まれる本編を判別する本編サーチ部と、
前記本編サーチ部でサーチした本編のコンテンツを再生可能な再生部と、
を具備したことを特徴とするディスク再生装置。
【請求項２】
前記本編サーチ部は、前記検出部で検出したタイトル総数が１つである場合は、検出したタイトルのコンテンツを本編と判断することを特徴とする請求項１記載のディスク再生装置。
【請求項３】
前記本編サーチ部は、前記検出部で検出した最初のタイトルのチャプタ数が前記チャプタ数の標準値で示される所定の範囲内にあり、検出したタイトル総数が前記タイトル総数の標準値で示される所定の数以内にある場合は、前記最初のタイトルのコンテンツを本編と判断することを特徴とする請求項１記載のディスク再生装置。
【請求項４】
前記本編サーチ部は、検出したチャプタ数が前記チャプタ数の標準値で示される所定の範囲内にあるタイトルの内、チャプタ数の多いタイトルと、次にチャプタ数の多いタイトルのチャプタ数を比較し、
チャプタ数の差が所定数以上あり、検出したタイトル総数が前記タイトル総数の標準値で示される所定の数以内にある場合は、前記チャプタ数の多いタイトルのコンテンツを本編と判断することを特徴とする請求項１記載のディスク再生装置。
【請求項５】
前記本編サーチ部は、前記チャプタ数の多いタイトルが本編でないと判断し、かつ検出したタイトル総数が前記タイトル総数の標準値で示される所定の数以内にある場合は、次にチャプタ数の多いタイトルのコンテンツについて本編判断を行い、本編のタイトルが検出できない場合は本編サーチを終了することを特徴とする請求項４記載のディスク再生装置。
【請求項６】
ユーザ操作が可能な操作部を有し、ユーザの選択操作により前記本編サーチの実行可否を決定することを特徴とする請求項１記載のディスク再生装置。
【請求項７】
光ディスクに記録された情報をピックアップ部で読取り、
前記ピックアップ部により読取られた情報に含まれるビデオ管理情報から、前記光ディスクに記録されているコンテンツのタイトル総数及び、各タイトルのチャプタ数をそれぞれ検出し、
光ディスクの市場の傾向を基に予め設定したタイトル総数の標準値及びチャプタ数の標準値と、前記検出した前記タイトル総数及び各タイトルのチャプタ数を比較し、前記比較結果をもとに前記コンテンツに含まれる本編をサーチし、
前記サーチした本編のコンテンツを再生することを特徴とするディスク再生方法。
【請求項８】
前記本編サーチは、検出したタイトル総数が１つである場合は、検出したタイトルのコンテンツを本編と判断することを特徴とする請求項７記載のディスク再生方法。
【請求項９】
前記本編サーチは、検出した最初のタイトルのチャプタ数が前記チャプタ数の標準値で示される所定の範囲内にあり、検出したタイトル総数が前記タイトル総数の標準値で示される所定の数以内にある場合は、前記最初のタイトルのコンテンツを本編と判断することを特徴とする請求項７記載のディスク再生方法。
【請求項１０】
前記本編サーチにおいて、前記最初のタイトルのコンテンツを本編と判断できない場合、前記タイトル総数の標準値及びチャプタ数の標準値を設定し直して再度本編判断を行うことを特徴とする請求項９記載のディスク再生方法。
【請求項１１】
前記本編サーチは、検出したチャプタ数が前記チャプタ数の標準値で示される所定の範囲内にあるタイトルの内、チャプタ数の多いタイトルと、次にチャプタ数の多いタイトルのチャプタ数を比較し、
チャプタ数の差が所定数以上あり、検出したタイトル総数が前記タイトル総数の標準値で示される所定の数以内にある場合は、前記チャプタ数の多いタイトルのコンテンツを本編と判断することを特徴とする請求項７記載のディスク再生方法。
【請求項１２】
前記本編サーチにおいて、前記チャプタ数の多いタイトルのコンテンツを本編と判断できない場合、前記チャプタ数の標準値を設定し直して再度本編判断を行うことを特徴とする請求項１１記載のディスク再生方法。
【請求項１３】
前記本編サーチにおいて、前記チャプタ数の多いタイトルが本編でないと判断し、かつ検出したタイトル総数が前記タイトル総数の標準値で示される所定の数以内にある場合は、次にチャプタ数の多いタイトルのコンテンツについて本編判断を行い、本編のタイトルが検出できない場合は本編サーチを終了することを特徴とする請求項７記載のディスク再生方法。
【発明の詳細な説明】
【技術分野】
【０００１】
本発明は、光ディスクであるＤＶＤ（Digital Versatile Disk）に記録された情報を再生するディスク再生装置に係り、特に本編の検出を行い、ディスク再生時に直接本編の再生を開始できるようにしたディスク再生装置及びディスク再生方法に関する。
【背景技術】
【０００２】
近年、ＤＶＤ−Ｖｉｄｅｏ規格に準拠した光ディスク（ＤＶＤ）に対して音声信号や映像信号等の情報を記録し、それを再生するディスク再生装置が普及している。またＤＶＤ（例えば映画用ディスク）は、通常、本編のコンテンツに対して１つのタイトルを付し、１つのタイトルを複数のチャプタに区切っている。
【０００３】
また映画用ディスクには、本編以外にセットアップ画面、メニュー画面、コマーシャル画面等も含まれており、ＤＶＤ−Ｖｉｄｅｏの普及に伴い、多くのディスクが特典映像等を充実させて記録する傾向にある。さらにディスク再生装置は、家庭用だけでなく車載用にも採用されており、その使用環境は様々である。
【０００４】
また、このようなＤＶＤを再生する場合、ディスク再生装置は、ＤＶＤに記録されたファイル構造情報に基いて、予め指定された再生手順に従って再生を開始するようにしている。例えば、メニュー画面の情報がＤＶＤに記録されていればメニュー画面を表示して、ユーザに複数のメニュー項目の中から希望する項目を選択させ、次の画面に移るようにしている。また、コマーシャル画面や、著作権に関するお知らせ画面が表示される場合もあり、再生操作後、本編が再生されるまでに多くの手間と時間がかかる場合がある。
【０００５】
また、ＤＶＤには本編を示す情報が記録されていないため、複数のタイトルを含むＤＶＤでは、どれが本編のコンテンツであるかを検出することは難しい状況にあり、本編のコンテンツを簡単な操作で直ぐに再生することは困難であった。
【０００６】
特に、車載用のディスク再生装置では、不慣れなユーザ（例えば子供）が操作する場合があり、運転者が操作手順を教えながら運転すると安全上好ましくない。したがって、簡単な操作で本編の再生ができるようにしたディスク再生装置の実現を望むユーザも多い。
【０００７】
特許文献１には、再生操作して本編が再生開始されるまでの時間を短縮することが可能なディスク再生装置について記載されている。この特許文献１の例では、タイトル数検出手段と、再生時間検出手段を設け、最も再生時間が長いタイトルを検出して再生を実行するようにしている。
【０００８】
しかしながら、ＤＶＤに複数のタイトルが含まれている場合、特に特典映像の多いＤＶＤにおいては、再生時間の長さを検出するたけでは、実際の本編がどれであるかを特定することは難しい状況にある。
【特許文献１】特開２００５−８６７１７号公報
【発明の開示】
【発明が解決しようとする課題】
【０００９】
従来のディスク再生装置、例えば車載用のディスク再生装置では、簡単な操作で本編の再生ができるようにすることが望ましい。特許文献１では、最も再生時間が長いタイトルを検出して再生を実行するようにしているが、ＤＶＤに複数のタイトルが含まれている場合、再生時間の長さを検出するたけでは、実際の本編がどれであるかを特定することは難しい状況にあった。
【００１０】
本発明は、このような事情に鑑みて、簡単な操作で本編の再生を開始でき、かつ本編の検出確率が高いディスク再生装置及びディスク再生方法を提供することを目的とする。
【課題を解決するための手段】
【００１１】
請求項１記載の本発明のディスク再生装置は、光ディスクに記録された情報を読取るピックアップ部と、前記ピックアップ部により読取られた情報に含まれるビデオ管理情報から、前記光ディスクに記録されているコンテンツのタイトル総数及び、各タイトルのチャプタ数をそれぞれ検出する検出部と、光ディスクの市場の傾向を基に予め設定したタイトル総数の標準値及びチャプタ数の標準値と、前記検出部で検出した前記タイトル総数及び各タイトルのチャプタ数を比較し、前記比較結果をもとに前記コンテンツに含まれる本編を判別する本編サーチ部と、前記本編サーチ部でサーチした本編のコンテンツを再生可能な再生部と、を具備したことを特徴とする
【００１２】
また、請求項７記載の本発明のディスク再生方法は、光ディスクに記録された情報をピックアップ部で読取り、前記ピックアップ部により読取られた情報に含まれるビデオ管理情報から、前記光ディスクに記録されているコンテンツのタイトル総数及び、各タイトルのチャプタ数をそれぞれ検出し、光ディスクの市場の傾向を基に予め設定したタイトル総数の標準値及びチャプタ数の標準値と、前記検出した前記タイトル総数及び各タイトルのチャプタ数を比較し、前記比較結果をもとに前記コンテンツに含まれる本編をサーチし、前記サーチした本編のコンテンツを再生することを特徴とする。
【発明の効果】
【００１３】
本発明のディスク再生装置では、簡単な操作によって本編の再生が可能となる。また高い確率で本編を検出することができ、特典映像の多いディスクであっても本編の検出を容易に行うことができる。
【発明を実施するための最良の形態】
【００１４】
以下、この発明のディスク再生装置の一実施形態について図面を参照して説明する。
【実施例１】
【００１５】
図１は本発明のディスク再生装置１００の全体構成を示すブロック図である。図１において、１１は光ディスクであるＤＶＤ（以下、単にディスク１１と呼ぶ）であり、ＤＶＤ−Ｖｉｄｅｏ規格に準拠してデータが記録されている。データの階層構造は、後述する。
【００１６】
ディスク１１は、スピンドルモータ１２によって一定の線速度で回転される。ディスク１１からの情報の再生は、光ピックアップ１３によって行われ、ディスク１１にレーザ光を照射し、その反射光によってディスク１１に記録されているデータを読み出す。
【００１７】
光ピックアップ１３は、送りモータ１４によってディスク１１の半径方向に移動制御され、再生位置を決定する。１５はサーボ制御部であり、後述するシステムコントローラ３０等から供給される制御信号に応じて、スピンドルモータ１２の回転を制御するとともに、光ピックアップ１３のトラッキング制御、フォーカス制御、及び送りモータ１４の駆動制御を行う。
【００１８】
１６はＲＦアンプであり、光ピックアップ１３によって読み出したデータに対応するＲＦ信号を増幅して次段に伝達する。又、このＲＦアンプ１６は、ＲＦ信号からフォーカス制御用の信号及びトラッキング制御用の信号を分離して、これらの制御信号をサーボ制御部１５に送る。
【００１９】
サーボ制御部１５は、フォーカス制御用の信号に基づいて光ピックアップ１３のアクチュエータ(図示せず)を制御し、光ビームが、ディスク１１上に常時ジャストフォーカスとなるように制御する。また、トラッキング制御用の信号に基づいてアクチュエータを制御し、光ピックアップ１３のトラッキング方向の移動を制御する。これにより、データの再生を正確に行うようにしている。
【００２０】
１７はデジタル信号処理部であり、ＲＦアンプ１６からのＲＦ信号をデジタル化し、デジタル化された信号の復調処理と誤り訂正処理を行い、デジタル信号処理部１７による信号処理の過程で得られたデータをＲＡＭ１８に格納する。またデジタル信号から制御信号が分離され、分離された制御信号がサーボ制御部１５及び後述するシステムコントローラ３０に送られる。
【００２１】
１９はストリーム分離部であり、デジタル信号処理部１７から出力された信号を、オーディオビットストリーム、メインピクチャビットストリーム及びサブピクチャビットストリームに分離し、オーディオ・ビデオ処理部２０（再生部）に供給する。メインピクチャビットストリームはＭＰＥＧ２のフォーマットに従って圧縮された信号であり、この中には映像情報が含まれる。また、サブピクチャビットストリームはランレングス圧縮方式に従って圧縮された信号であり、この中には字幕情報等が含まれる。
【００２２】
２１は、オーディオデコーダであり、ストリーム分離部１９で分離されたオーディオビットストリームを復号化処理して、デジタルオーディオ信号を出力する。オーディオデコーダ２１から出力されたデジタルオーディオ信号は、Ｄ／Ａ変換器２２によってアナログオーディオ信号に変換され、アナログオーディオ信号は、パワーアンプ（図示せず）を介してスピーカ２３から出力される。
【００２３】
２４はビデオデコーダであり、ストリーム分離部１９で分離されたメインピクチャビットストリームを復号化処理する。２５はサブピクチャデコーダであり、ストリーム分離部１９で分離されたサブピクチャビットストリームを復号化処理する。また２６はビデオプロセッサであり、ビデオデコーダ２４から出力されたメインピクチャと、サブピクチャデコーダ２５から出力されたサブピクチャをデジタル合成する。
【００２４】
２７はビデオエンコーダであり、ビデオプロセッサ２６から出力された合成データを表示用のビデオ信号に変換する。このビデオエンコーダ２７から出力されたビデオ信号は、液晶パネルなどのディスプレイ装置２８に供給され、画像が表示される。
【００２５】
２９は、リモートコントローラ等の操作部であり、再生、停止、早送り、ボリューム設定などの各種操作を行う複数の操作ボタンを有している。操作部２９は、ユーザが希望する音声・字幕情報を初期設定したり、ディスク再生装置１００からの問い合わせに応答して音声・字幕情報の設定変更を指示したり、またディスプレイ装置２８に表示されるメニュー画面中のカーソルを移動して各種の選択を行ったりする際にも使用される。またディスク１１に記録されたタイトルやチャプタ等の選択設定を行うこともできる。
【００２６】
システムコントローラ３０は、ＣＰＵ及びＲＯＭ等を含み、ＲＯＭに格納されたプログラムに従ってディスク再生装置１００の全体的な動作を制御するものである。システムコントローラ３０は、操作部２９からの各種の指示信号、デジタル信号処理部１７からの信号及びストリーム分離部１９からの信号を受けて、サーボ制御部１５、デジタル信号処理部１７、ストリーム分離部１９及びビデオプロセッサ２６を制御する。またシステムコントローラ３０には、ＲＡＭ３１が接続され、システムコントローラ３０の制御のもとに行われる各種の処理によって得られるデータを一時的に格納する。
【００２７】
ところで、ＤＶＤ−Ｖｉｄｅｏ規格においては、メニュー画面や各タイトル等の再生シーケンスは、１以上のプログラムチェインＰＧＣによって規定されており、ＰＧＣの構成を定義するためプログラムチェイン情報ＰＧＣＩが記録されている。
【００２８】
図２は、プログラムチェインＰＧＣにおけるプログラムチェイン情報ＰＧＣＩを説明する図である。ＰＧＣＩには複数のプログラムＰＧと、ＰＧＣ再生開始時に実行すべきコマンドＰＲＥ＿ＣＭＤ、ＰＧＣ終了時に実行すべきコマンドＰＯＳＴ＿ＣＭＤや、次に実行すべきＰＧＣＩの記述Ｎｅｘｔ＿ＰＧＣＮを含み、ＰＧＣＩによってプログラムＰＧの再生順序が定義される。
【００２９】
また、ディスク１１には、ディスク１１の再生開始時に最初に再生すべきＰＧＣの記述ＦＰ＿ＰＧＣＩと、タイトル全体の再生を制御するためのＰＧＣＩであるＶＭＧＭ＿ＰＧＣＩが記録されており、ＦＰ＿ＰＧＣＩによって、再生開始時の再生シーケンスが規定されている。
【００３０】
図３は、ディスク１１の再生手順の一例を示した図である。図３において、Ｔ１，Ｔ２，Ｔ３，Ｔ４・・・はタイトルを表し、例えばタイトルＴ１は、本編映像であり、Ｔ２はメニュー映像、Ｔ３はコマーシャル映像、Ｔ４は特典映像を表している。各タイトルは、複数のチャプタで構成されている。
【００３１】
図３では、ＦＰ＿ＰＧＣＩによって、最初にコマーシャル映像が再生される例を示している。また、コマーシャル映像が再生されたあとは、メニュー画面の表示に切り替わり、次に本編が再生される例を示している。このような再生シーケンスは、ＰＧＣによってそれぞれ規定される。
【００３２】
したがって、通常はディスク１１に記録されているデータに従って再生処理が成されるが、本発明のディスク再生装置１００では、本編サーチを行ってディスク１１の本編を判断し、直接、本編を再生できるようにした点に特徴がある。
【００３３】
本編サーチを行うため、本発明では、ＤＶＤの市場傾向を考慮した上で、ディスク１１に記録されているタイトル数、チャプタ数の標準値を参照し、この標準値を基に本編を検出するようにしている。タイトル数やチャプタ数は、ディスク１１に記録されたデータから判別することができる。
【００３４】
図４は、この発明の一実施形態に係るディスク再生装置１００で利用されるディスク１１のデータ階層構造を説明する図である。
【００３５】
ディスク１１に記録されるデータの階層構造は、ＤＶＤ−Ｖｉｄｅｏ規格に準拠して定められており、ディスク１１の内周側にリードインエリアが設けられ、外周側にリードアウトエリアが設けられ、その間にＤＶＤビデオエリアを含むボリュームスペースが設けられている。
【００３６】
ＤＶＤビデオエリアには、図４に示すように、管理情報であるビデオマネージャＶＭＧと、コンテンツ情報である１以上のビデオタイトルセットＶＴＳ＃１〜ＶＴＳ＃ｎを含んでいる。
【００３７】
管理情報ＶＭＧは、ビデオマネージャ情報ＶＭＧＩ、ビデオマネージャメニュー用ビデオオブジェクトセットＶＭＧＭ＿ＶＯＢＳ、及びＶＭＧＩのバックアップＶＭＧＩ＿ＢＵＰで構成される。
【００３８】
また、ビデオ管理情報であるＶＭＧＩは、タイトルサーチポインタテーブルＴＴ＿ＳＲＰＴ、前述したＦＰ＿ＰＧＣＩ及びＶＭＧＭ＿ＰＧＣＩ等を含んでいる。ＶＭＧＩに含まれるＴＴ＿ＳＲＰＴは、タイトルサーチポインタテーブル情報ＴＴ＿ＳＲＰＴＩ（図示せず）、及び１以上のタイトルサーチポインタＴＴ＿ＳＲＰを含んでいる。タイトルサーチポインタＴＴ＿ＳＲＰは、タイトル１用〜タイトルｎ用のタイトルサーチポインタでなる。
【００３９】
またそれぞれのＴＴ＿ＳＲＰは、該当タイトルの再生形式ＴＴ＿ＰＢ＿ＴＹ（図示せず）や、パートオブタイトル数（チャプタ数を表すデータ）ＰＴＴ＿Ｎｓ等を含んでいる。したがって、ＶＭＧＩに含まれる情報を検出することで、ディスク１１に記録されているタイトル、タイトルの数、タイトル毎のチャプタ数を検出することができる。
【００４０】
一方、個々のビデオタイトルセット（例えばＶＴＳ＃ｎ）のファイルは、そのタイトルの管理情報であるビデオタイトルセット情報ＶＴＳＩ、ビデオタイトルセットメニュー用ビデオオブジェクトセットＶＴＳＭ＿ＶＯＢＳ、ビデオタイトルセットタイトル用のビデオオブジェクトセットＶＴＳＴＴ＿ＶＯＢＳ（ビデオコンテンツ）、及びＶＴＳＩのバックアップＶＴＳＩ＿ＢＵＰで構成される。
【００４１】
各ビデオタイトルセットＶＴＳには、ＭＰＥＧ規格により圧縮されたビデオデータ、所定の規格により圧縮された（あるいは非圧縮の）オーディオデータ、及び所定の規則によりランレングス圧縮された副映像データとともに、これらのデータを再生するための種々の情報が格納されている。
【００４２】
また管理情報ＶＴＳＩは、ビデオタイトルセットプログラムチェイン情報テーブルＶＴＳ＿ＰＧＣＩＴ等を含んでいる。ＶＴＳ＿ＰＧＣＩＴは、１以上のビデオタイトルセットプログラムチェイン情報ＶＴＳ＿ＰＧＣＩ等を含んでいる。ＶＴＳ＿ＰＧＣＩは、タイトル再生開始時に最初に再生すべき記述である。
【００４３】
またＶＴＳＴＴ＿ＶＯＢＳは、複数のビデオ・オブジェクト・アイデンティフィケーション・ナンバー（ＶＯＢ＿ＩＤＮ）によって構成されており、ＶＯＢ＿ＩＤＮに含まれるデータの階層構造は、複数のＣｅｌｌによって構成されている。ＶＴＳＴＴ＿ＶＯＢＳの内容（ビデオコンテンツ）は、１以上のセルを指し示すビデオオブジェクト（ＶＯＢ＿ＩＤＮ＃１、ＶＯＢ＿ＩＤＮ＃２、…、ＶＯＢ＿ＩＤＮ＃ｉ）により特定され、これらのＶＯＢ＿ＩＤＮ＃で示されるＣｅｌｌの再生順序が、ＰＧＣにより定められる。
【００４４】
Ｃｅｌｌは、複数のビデオ・オブジェクト・ユニットＶＯＢＵから構成されており、ＶＯＢＵは、ナビゲーション・パックＮＶ＿ＰＣＫ、オーディオ・パックＡ＿ＰＣＫ、ビデオ・パックＶ＿ＰＣＫ、サブピクチャ・パックＳＰ＿ＰＣＫによって構成されているが、図示は省略する。
【００４５】
次に、図５のフローチャートを参照して本発明の主要部である本編サーチの動作について説明する。本発明では、ディスク１１に記録されたタイトル総数と各タイトルのチャプタ数を基に段階的に本編を判断し、かつ市場の傾向を基にした標準値を利用して本編の判断（本編サーチ）を行うものである。
【００４６】
尚、図５のフローチャートにおいては、各種の判断ステップを含むが、判断処理は、デジタル信号処理部１７及びストリーム分離部１９から分離抽出した各種の情報を基にシステムコントローラ３０が行う。
【００４７】
システムコントローラ３０は、ビデオ管理情報ＶＭＧＩから、光ディスクに記録されているコンテンツのタイトル及び、各タイトルのチャプタ数を検出する検出部を構成する。また、システムコントローラ３０は、光ディスクの本編のタイトル数及びチャプタ数の標準値を基にして、この標準値と検出した各タイトルのチャプタ数及びタイトル総数を比較して本編を判別する本編サーチ部を構成する。
【００４８】
図５において、ステップＳ１は本編サーチの開始ステップであり、次のステップＳ２ではディスク１１に記録されているタイトルの総数が１つであるか否かを判断する。タイトル数が１である場合は、ステップＳ３に進み、検出したタイトル１のコンテンツが本編であると決定する。
【００４９】
ステップＳ２において、タイトル総数が１以上であった場合は、ステップＳ４に進む。ステップＳ４では、タイトルのチャプタ数とタイトル総数を基に本編の判断を行う。
【００５０】
すなわち、ステップＳ４では、検出した複数のタイトルについてそれぞれのチャプタ数を検出するが、先ず、最初のタイトル番号のタイトル（タイトル１）について「チャプタ数がｃ１以上、ｃ２以下か」を判断する。尚、ｃ１，ｃ２は標準値であり、ｃ１＜ｃ２である。
【００５１】
通常、チャプタ数の最大値は９９９個であるが、市場の傾向から判断すると、チャプタ数が多すぎるコンテンツは特典映像である可能性が高い。したがって、ここではタイトル１のチャプタ数が所定の標準値の範囲内（ｃ１〜ｃ２）、例えば１０〜１００程度の範囲内にあるか否かを判断する。
【００５２】
次に、検出した複数のタイトル及びそれらのチャプタ数を基に、「チャプタ数がｃ１以上のタイトルの数がｔ１以下、又は全体の１／ｔ１以下か」を判断する。つまり、市場の傾向から判断すると、タイトル総数が所定の標準値以下（例えば２，３個程度）の場合は、タイトル１が本編のコンテンツである可能性が高い。
【００５３】
したがって、ステップＳ４ではタイトル数とチャプタ数をもとにタイトル１が本編に該当するものであるか否かを判断し、該当する場合はステップＳ３に進み、タイトル１を本編と決定する。
【００５４】
ステップＳ４の条件を満たさない場合は、次のステップＳ５に進む。ステップＳ５は、タイトル１のチャプタ数とタイトル総数を基に本編の判断を行う。即ち、ステップＳ５では、「タイトル１のチャプタ数がｃ３以下か」を判断し、かつ「タイトルの総数がｔ２未満か」を判断する。尚、ｃ３＜ｃ１、ｔ１＜ｔ２である。
【００５５】
ここでは、判定条件を変え、タイトル１のチャプタ数がｃ１〜ｃ２の範囲の下限よりも少ないか、またタイトルの総数がｔ１よりも多いかを判断し、該当する場合はステップＳ３に進み、タイトル１を本編と決定する。
【００５６】
ステップＳ５の条件を満たさない場合は、次のステップＳ６に進む。ステップＳ６は、最大のチャプタ数を有するタイトルと、２番目に多いチャプタ数を有するタイトルとのチャプタ数の差を基に本編を判断する。つまり、チャプタ総数が所定の範囲内（ｃ１〜ｃ２の範囲）にあるタイトルを検出し、それらの中で最大のチャプタ数を有するタイトルを本編と判断するものである。
【００５７】
即ち、ステップＳ６では、最大のチャプタ数を有するタイトルと、２番目のチャプタ数を有するタイトルを比較し、「最大チャプタ数と２番目のチャプタ数との差が所定数ｄ１以上か」（例えば数個以上の差があるか）を判断する。さらに、最大のチャプタ数を有するタイトルについて、「チャプタ数がｃ１以上、ｃ２以下か」を判断し、さらに、「チャプタ数がｃ４以上のタイトルの数が全体の１／ｔ１以下か」を判断する。尚、ｃ１＜ｃ４＜ｃ２である。
【００５８】
これらの条件に合致する場合、さらに「タイトル番号が１であるか、或いはタイトル総数がｔ３以下か、又は２番目のチャプタ数がｃ５以下か」を判断する。尚、ｔ２＜ｔ３、ｃ３＜ｃ５＜ｃ１である。これらの条件に合致する場合は、ステップＳ７に進み、チャプタ数の多いタイトルを本編として決定する。
【００５９】
さらにステップＳ６の条件に合致しない場合は、ステップＳ８に進み、判定条件を変え、「最大チャプタがｃ５以上か」を判断し、さらに２番目のチャプタ数がｃ６以下か」を判断する。尚、ｃ６＜ｃ３＜ｃ５である。ステップＳ８の条件に合致する場合は、ステップＳ７に進み本編として決定する。
【００６０】
ステップＳ８の条件に合致しない場合は、ステップＳ９に進む。ステップＳ９では、２番目のチャプタ数とタイトル総数を基に本編か否かを判断する。
【００６１】
即ち、ステップＳ９では、「最大のチャプタ数がｃ２以上で、かつ２番目のチャプタ数がｃ１以上、ｃ２以下か」を判断する。これは、最大チャプタ数がｃ２以上のものは特典映像である可能性があるため、２番目のチャプタ数を有するタイトルのチャプタ数が所定の範囲内（ｃ１〜ｃ２の範囲）にあるか否かを判断する。
【００６２】
さらに、「チャプタ数がｃ４以上のタイトルの数が全体の１／ｔ１以下か」を判断する。そして、「２番目のチャプタ数を有するタイトルの番号が１か、又はタイトル総数がｔ４以下か」を判断する。尚、ｔ３＜ｔ４である。
【００６３】
ステップＳ９の条件に合致する場合は、ステップＳ１０に進み、２番目にチャプタ数の多いタイトルを本編として決定する。また、ステップＳ９の条件に合致しない場合は、本編は見つからなかったものとして、例えばタイトル１のコンテンツを本編として本編サーチを終了する。
【００６４】
こうして本発明では、タイトル数とチャプタ数を検出し、かつ市場の傾向を基にした標準値（ｃ１〜ｃ６、ｔ１〜ｔ４）を判断基準に使用して本編をサーチすることにより、高い確率で本編を検出することができる。またディスク再生装置１００は、本編サーチを行うことで直ぐに本編の再生を開始することができる。
【００６５】
尚、本発明のディスク再生装置においては、本編サーチを行って再生するか、通常の再生（予め指定された再生手順に従った再生）を行うかは、ユーザの操作に委ねられる。例えば、本編サーチの設定は、操作部２９を操作してディスプレイ装置２８にセットアップ画面を表示し、キー操作することで行う。
【００６６】
図６は、ディスプレイ装置２８にセットアップ画面３２を表示し、ユーザが操作部２９のキーを操作することで各種の設定を行う例を示している。例えば本編サーチの項目３３にカーソルを移動し、「ＯＮ」３４を選択すれば本編サーチによる再生モードとなる。また「ＯＦＦ」３５を選択すれば本編サーチをオフとし、通常の再生モードとなる。
【００６７】
したがって、ディスク１１の再生に際して、ユーザ操作に基づいて本編サーチによる再生モードが選択された場合は、面倒な手順を省略して直ぐに本編の再生が可能となる。特に、特典映像の多いディスクの再生や、車載用のディスク再生装置のように簡単操作が要求される場合には有効である。
【００６８】
尚、このような本編サーチモードによる再生は、あくまでもユーザの意思によって行われるため、通常の再生モードに戻せば、ディスクに記録されたファイル構造情報に基いて、予め指定された再生手順に従って再生することができる。
【００６９】
このように、本発明のディスク再生装置では、簡単な操作によって本編の再生が可能となる。また高い確率で本編を検出することができ、特典映像の多いディスクであっても本編の検出を容易に行うことができるため、車載用に適したディスク再生装置を提供することができる。
【００７０】
尚、以上の説明では、図５のステップＳ９において２番目のチャプタ数を有するタイトルまでを本編サーチの対象としたが、標準値を変えて３番目以降のチャプタ数を有するタイトルについても段階的に本編サーチを行うようにしても良い。また判断条件となる市場傾向による標準値は、許容範囲内で任意に設定することができ、本編判定の条件は上述した例に限るものではない。
【００７１】
また以上の説明に限定されることなく、特許請求の範囲を逸脱しない範囲内で種々の変形が可能である。
【図面の簡単な説明】
【００７２】
【図１】本発明のディスク再生装置の一実施形態を示す全体構成図。
【図２】同実施形態のディスクに記録されるＰＧＣのデータ構造を示す説明図。
【図３】同実施形態におけるディスクの再生シーケンスの一例を示す説明図。
【図４】同実施形態のディスクに記録されるデータの階層構造を説明する図。
【図５】同実施形態における本編サーチの処理を説明するフローチャート。
【図６】同実施形態におけるセットアップ画面の一例を示す説明図。
【符号の説明】
【００７３】
１１…ディスク
１２…モータ
１３…光ピックアップ
１４…送りモータ
１５…サーボ制御部
１６…ＲＦアンプ
１７…デジタル信号処理部
１８，３１…ＲＡＭ
１９…ストリーム分離部
２０…オーディオ・ビデオ処理部
２７…ヒデオエンコーダ
２８…ディスプレイ装置
２９…操作部
３０…システムコントローラ
【図１】
0004850140.tif 000002
【図２】
0004850140.tif 000003
【図３】
0004850140.tif 000004
【図４】
0004850140.tif 000005
【図５】
0004850140.tif 000006
【図６】
0004850140.tif 000007